【事件の表示】
　特許第６２４８８３８号発明「着色組成物、着色硬化膜、並びに表示素子及び固体撮像素子」の特許異議申立事件について、次のとおり決定する。
【結　論】
　特許第６２４８８３８号の請求項１ないし１０に係る特許を維持する。
【理　由】
第１　手続の経緯
　特許第６２４８８３８号の請求項１〜１０に係る特許についての出願は、平成２６年７月１５日（優先権主張　平成２５年７月２２日　同年１０月２９日）に出願され、平成２９年１２月１日にその特許権の設定登録がされ、同年同月２０日にその特許公報が発行され、その後平成３０年６月１９日に鈴木弘之（以下「特許異議申立人」という。）により特許異議の申立てがされたものである。
　
第２　本件発明
　特許第６２４８８３８号の請求項１〜１０に係る発明（以下「本件発明１〜１０」、またこれらをあわせて「本件発明」ともいう。）は、それぞれ、願書に添付された特許請求の範囲の請求項１〜１０に記載された事項により特定される、次のとおりのものである。
「　　【請求項１】
　（Ａ）着色剤、（Ｃ）バインダー樹脂及び（Ｄ）重合性化合物を含む着色組成物であって、
　（Ａ）着色剤が、下記式（１）で表される顔料を含み、
　更に、（Ｂ１）リン酸エステル、及び（Ｂ２）窒素原子を有する分散剤を含む、着色組成物。
　　【化１】
〔式（１）において、Ｒ1及びＲ2は、臭素原子を表す。〕
　　【請求項２】
　（Ｂ２）窒素原子を有する分散剤が、（メタ）アクリル系分散剤及びポリエステル系分散剤であって、アミノ基、四級アンモニウム、アミド基及びイミノ基から選ばれる１以上の特性基を有する分散剤、並びにウレタン系分散剤のうちの少なくとも１種である、請求項１に記載の着色組成物。
　　【請求項３】
　（Ｂ１）リン酸エステルの含有量ｗ1と、（Ｂ２）窒素原子を有する分散剤の含有量ｗ2との比（ｗ1／ｗ2）が質量比で１０／９０〜９０／１０である、請求項１又は２に記載の着色組成物。
　　【請求項４】
　（Ｂ１）リン酸エステルの酸価が１〜１５０ｍｇＫＯＨ／ｇである、請求項１〜３のいずれか１項に記載の着色組成物。
　　【請求項５】
　前記（Ｂ１）リン酸エステルが、ポリエーテルリン酸エステル系重合体である、請求項１〜４のいずれか１項に記載の着色組成物。
　　【請求項６】
　前記（Ａ）着色剤が、前記式（１）で表される顔料以外の着色剤を含む、請求項１〜５のいずれか１項に記載の着色組成物。
　　【請求項７】
　請求項１〜６のいずれか１項に記載の着色組成物を用いて形成された着色硬化膜。
　　【請求項８】
　請求項７に記載の着色硬化膜を具備する表示素子。
　　【請求項９】
　請求項７に記載の着色硬化膜を具備する固体撮像素子。
　　【請求項１０】
　（Ａ）着色剤及び（Ｆ）溶媒を含む着色剤分散液であって、
　（Ａ）着色剤が、下記式（１）で表される顔料を含み、
　更に、（Ｂ１）リン酸エステル、及び（Ｂ２）窒素原子を有する分散剤を含む、着色剤分散液。
　　【化２】
〔式（１）において、Ｒ1及びＲ2は、臭素原子を表す。〕」
　
第３　特許異議申立理由の概要
　特許異議申立人が特許異議申立書において申し立てた取消理由の概要、証拠方法は次のとおりである。
　
理由１：本件発明１〜２、４〜８、１０は、甲第１号証に記載された発明であり、特許法第２９条第１項第３号に該当し、特許を受けることができないから、本件発明１〜２、４〜８、１０に係る特許は、同法第２９条の規定に違反してされたものであり、同法第１１３条第２号の規定により取り消されるべきものである。
　
理由２：本件発明１〜１０は、甲第１〜４号証に記載された発明に基づいて当業者が容易に発明をすることができたものであるから、特許法第２９条第２項の規定により特許を受けることができないから、本件発明１〜１０に係る特許は、同法第２９条の規定に違反してされたものであり、同法第１１３条第２号の規定により取り消されるべきものである。
　
甲第１号証：国際公開第２０１２／１０２３９９号
甲第２号証：特開２０１０−２３５７４８号公報
甲第３号証：特開２０１１−１８７６８９号公報
甲第４号証：特開２００６−２６７７９２号公報
　
第４　刊行物の記載事項及び刊行物に記載された発明
１　刊行物に記載された事項
（１）甲第１号証
１ａ）「[0039]　本発明者らは、鋭意研究を重ねた結果、従来使用されていたＣ．Ｉ．ピグメントレッド２５４（塩素化ジケトピロロピロール顔料）と比較して、臭素化ジケトピロロピロール顔料（式（１））をカラーフィルタに適用することにより、明度が向上することを見出した。」
１ｂ）「[0176]［第５の実施態様］
（カラーフィルタ用着色組成物）
　第５の実施態様のカラーフィルタ用着色組成物は、・・・感光性着色組成物として用いることができる。
・・・
[0179]（顔料（Ａ））
　顔料（Ａ）は、式（１）に示す顔料（Ａ１）を含む。
《顔料（Ａ１）》
[化39]
・・・
[0182]《その他の顔料》
　着色組成物は、顔料（Ａ１）以外の顔料を併用しても良く、このような顔料としては、有機または無機の顔料を、単独で、または２種類以上併用できる。・・・
[0183]　用いることのできる有機顔料としては、・・・
[0185]　また、無機顔料としては、・・・有機顔料と組み合わせて用いられる。・・・
[0215]（感光性着色組成物の製法）
　感光性着色組成物は、顔料（Ａ）をバインダー樹脂（Ｃ−Ｂ）などの色素担体および溶剤中に、好ましくは顔料分散剤と一緒に、三本ロールミル、二本ロールミル、サンドミル、ニーダー、アトライター等の各種分散手段を用いて微細に分散して顔料分散体を製造し、該顔料分散体に光重合開始剤（Ｃ−Ｄ）、バインダー樹脂（Ｃ−Ｂ）、光重合性化合物、場合によって増感剤（Ｃ−Ｅ）、多官能チオール、紫外線吸収剤、重合禁止剤、貯蔵安定剤、その他成分を混合撹拌して製造することができる。また、２種以上の顔料を含む着色組成物は、各顔料分散体を別々に色素担体および／または溶剤中に微細に分散したものを混合し、さらに光重合開始剤（Ｃ−Ｄ）や光重合性化合物等を混合撹拌して製造することができる。」
　
１ｃ）「[0242]［第６の実施態様］
　第６の実施態様のカラーフィルタ用着色組成物は、顔料（Ａ）と、バインダー樹脂（Ｄ−Ｂ）と、溶剤とを含むカラーフィルタ用着色組成物であって、顔料（Ａ）が、式（１）に示す顔料（Ａ１）を含み、バインダー樹脂（Ｄ−Ｂ）が、下記構成単位（Ｄ−ｂ１）〜（Ｄ−ｂ３）を有する樹脂（Ｄ−Ｂ１）を含む。第６の実施態様のカラーフィルタ用着色組成物は、感光性着色組成物として用いることができる。
[0243]　本発明者らは、鋭意研究を重ねた結果、従来使用されていたＣ．Ｉ．ピグメントレッド２５４（塩素化ジケトピロロピロール顔料）に替えて、臭素化ジケトピロロピロール顔料と特定構造を有するバインダー樹脂とを含む着色組成物を用いることにより、高明度、高コントラストかつ加熱工程による結晶析出が抑制された高精細のフィルタセグメントを有するカラーフィルタが得られることを見出した。」
　
１ｄ）「[0245]（顔料（Ａ））
　顔料（Ａ）は、第５の実施態様における顔料（Ａ）と同様の顔料であり、第５の実施態様における製造方法と同様の方法により得ることができる。
[0246]　式（１）に示す顔料（Ａ１）と樹脂（Ｄ−Ｂ１）とを組み合わせて用いることで、従来よりも、高明度および高コントラスト比の赤色着色組成物とすることができる。
[0247]　第６の実施態様の着色組成物は、第５の実施態様の着色組成物と同様に、顔料（Ａ１）と共にその他の顔料を併用してもよく、また、顔料（Ａ１）およびその他の顔料は、微細化して用いることが好ましい。
[0248]（バインダー樹脂（Ｄ−Ｂ））
《樹脂（Ｄ−Ｂ１）》
　カラーフィルタ用着色組成物に含まれるバインダー樹脂（Ｄ−Ｂ）は、下記構成単位（Ｄ−ｂ１）〜（Ｄ−ｂ３）を有する樹脂（Ｄ−Ｂ１）を含むことを特徴とする。
（Ｄ−ｂ１）カルボキシル基を有する構成単位：２〜６０重量％
（Ｄ−ｂ２）式（Ｄ−２）または（Ｄ−３）に示す芳香族環基を有する構成単位：２〜８０重量％
（Ｄ−ｂ３）式（Ｄ−４）または（Ｄ−５）に示す脂肪族環基を有する構成単位：２〜６０重量％
[化43]
[化44]
［式（Ｄ−２）及び（Ｄ−３）中、Ｒは、水素原子、またはベンゼン環を有していてもよい炭素数１〜２０のアルキル基である。式（Ｄ−３）中の破線部は、ベンゼン環に隣あう、置換基を有しても良い一個以上の飽和または不飽和の複素環を含む環状構造を示す。］
[化45]
[化46]
」
　
１ｅ）「[0284]（感光性着色組成物の製法）
　第６の実施態様の着色組成物は、第５の実施態様の着色組成物と同様の製造方法により製造することができる。
[0285]（任意成分）
　第６の実施態様の着色組成物には、顔料分散剤（Ｄ−Ｃ）、光重合開始剤（Ｄ−Ｄ）、増感剤、光重合性化合物、多官能チオール、紫外線吸収剤、重合禁止剤、貯蔵安定剤、その他の添加剤等の任意成分を含有させることができる。・・・
[0287]［溶剤、任意成分］
　以下、上記のカラーフィルタ用着色組成物に用いられる溶剤及び任意成分の具体例を示す。
[0288]（その他着色剤（その他の顔料））
　着色組成物に用いることができるその他着色剤（その他の顔料）として、例えばＣ．Ｉ．ピグメントレッド１、・・・、２５４、・・・または２８７等の赤色顔料を挙げることができる。赤色染料としては、キサンテン系、・・・アントラキノン系などが挙げられる。具体的には、Ｃ．Ｉ．アシッドレッド５２、・・・などのキサンテン系酸性染料の造塩化合物等が挙げられる。これらは単独でまたは２種以上を混合して用いることができる。
・・・
[0291]（有機溶剤）
　着色組成物に用いることができる有機溶剤としては、例えば、乳酸エチル、・・・１，３−ブチレングリコールジアセテート、・・・、２−ヘプタノン、・・・、エチレングリコールモノエチルエーテル、エチレングリコールモノエチルエーテルアセテート、・・・、エチレングリコールモノプロピルエーテル、・・・、エチレングリコールモノメチルエーテル、エチレングリコールモノメチルエーテルアセテート、・・・、ジエチレングリコールモノエチルエーテルアセテート、ジエチレングリコールモノブチルエーテル、・・・、ジエチレングリコールモノメチルエーテル、・・・、ジプロピレングリコールモノプロピルエーテル、ジプロピレングリコールモノメチルエーテル、・・・、トリプロピレングリコールモノメチルエーテル、プロピレングリコールジアセテート、・・・、プロピレングリコールモノエチルエーテル、・・・、プロピレングリコールモノブチルエーテル、プロピレングリコールモノプロピルエーテル、プロピレングリコールモノメチルエーテル、プロピレングリコールモノメチルエーテルアセテート、・・・、酢酸ｎ−ブチル、酢酸イソアミル、酢酸イソブチル、酢酸プロピル、・・・等が挙げられる。これらの溶剤は、単独で、または必要に応じて任意の比率で２種以上混合して用いることができる。
・・・
[0293]（樹脂型分散剤）
　樹脂型分散剤は、着色剤に吸着する性質を有する顔料親和性部位と、着色剤担体と相溶性のある部位とを有し、着色剤に吸着して着色剤の着色剤担体への分散を安定化する働きをするものである。樹脂型分散剤として具体的には、・・・、ポリカルボン酸（部分）アミン塩、ポリカルボン酸アンモニウム塩、ポリカルボン酸アルキルアミン塩・・・等の油性分散剤、・・・等が用いられる。・・・
[0294]　市販の樹脂型分散剤としては、ビックケミー・ジャパン社製のＤｉｓｐｅｒｂｙｋ−１０１、・・・、１１１、・・・、１６１、１６２、・・・、１６５、・・・、１６７、・・・、１７０、・・・、１８２、・・・、２０００、２００１、・・・、日本ルーブリゾール社製のＳＯＬＳＰＥＲＳＥ−３０００、・・・、２４０００、・・・、４１０００、・・・、７６５００等、・・・、味の素ファインテクノ社製のアジスパーＰＡ１１１、・・・、ＰＢ８２１、ＰＢ８２２、・・・等が挙げられる。これらは単独で、または２種以上を混合して用いることができる。
・・・
[0296]（界面活性剤）
　界面活性剤としては、・・・、ポリオキシエチレンアルキルエーテルリン酸エステル等のアニオン性界面活性剤；・・・、ポリオキシエチレンアルキルエーテルリン酸エステル、・・・等のノニオン性界面活性剤；・・・が挙げられる。これらは単独でまたは２種以上を混合して用いることができるが、必ずしもこれらに限定されるものではない。
[0297]（光重合性単量体（光重合性化合物））
　紫外線や熱などにより硬化して透明樹脂を生成するモノマー、オリゴマーとしては、例えば、・・・、ポリエチレングリコールジ（メタ）アクリレート、・・・、トリメチロールプロパントリ（メタ）アクリレート、ペンタエリスリトールトリ（メタ）アクリレート、ペンタエリスリトールテトラ（メタ）アクリレート、・・・、ジペンタエリスリトールヘキサ（メタ）アクリレート、ジペンタエリスリトールペンタ（メタ）アクリレート、・・・等が挙げられるが、必ずしもこれらに限定されるものではない。これらの光重合性化合物は、１種を単独で、または必要に応じて任意の比率で２種以上混合して用いることができる。」
　
１ｆ）「[0323]（カラーフィルタの製造方法）
　カラーフィルタは、印刷法またはフォトリソグラフィー法により、製造することができる。
[0324]　 印刷法によるフィルタセグメントの形成は、印刷インキとして調製した着色組成物の印刷と乾燥を繰り返すだけでパターン化ができるため、カラーフィルタの製造法としては、低コストで量産性に優れている。・・・
[0325]　フォトリソグラフィー法によりフィルタセグメントを形成する場合は、上記溶剤現像型あるいはアルカリ現像型着色レジスト材として調製した着色組成物を、透明基板上に、スプレーコートやスピンコート、スリットコート、ロールコート等の塗布方法により、乾燥膜厚が０．２〜１０μｍ、好ましくは０．２〜５μｍとなるように塗布する。必要により乾燥された膜には、この膜と接触あるいは非接触状態で設けられた所定のパターンを有するマスクを通して紫外線露光を行う。・・・さらに、着色レジスト材の重合を促進するため、必要に応じて加熱を施すこともできる。」
　
１ｇ）「[0572]
［実施例Ｄ］
　実施例Ｄ中、「部」および「％」は、「重量部」および「重量％」をそれぞれ表す。・・・
[0579]＜バインダー樹脂（Ｂ）溶液の製造方法＞
・・・
[0590]　得られた樹脂溶液（Ｂ１−１〜１５）および樹脂溶液（Ｂ２−１〜４）の組成および重量比を表Ｄ−１に示す。カッコ内は樹脂固形分中の構成単位重量比（重量％）を表す。
[0591]
[表D-1]
[0592]　表Ｄ−１における構成単位の前駆体および構成単位の略称の説明
ＭＡＡ：メタクリル酸
ＴＨＰＡ：テトラヒドロフタル酸無水物（４−シクロヘキセン−１，２−ジカルボン酸無水物
ＢｚＭＡ：ベンジルメタクリレート
Ｓｔ：スチレン
Ｍ１１０：パラクミルフェノールエチレンオキサイド変性アクリレート
ＤＣＰＭＡ：ジシクロペンタニルメタクリレート
ＧＭＡ：グリシジルメタクリレート
ＧＭＡ−ＡＡ：構成単位ＧＭＡにアクリル酸が付加反応し結合したもの
ＧＭＡ−ＭＡＡ：構成単位ＧＭＡにメタクリル酸が付加反応し結合したもの
ＢＭＡ：ｎ−ブチルメタクリレート
[0593]［樹脂溶液（Ｂ２−５）の調製］
　反応容器にシクロヘキサノン３７０部を入れ、容器に窒素ガスを注入しながら８０℃に加熱して、同温度でメタクリル酸２０．０部、メチルメタクリレート１０．０部、ｎ−ブチルメタクリレート５５．０部、２−ヒドロキシエチルメタクリレート１５．０部、２，２’−アゾビスイソブチロニトリル４．０部の混合物を１時間かけて滴下して重合反応を行った。滴下終了後、さらに８０℃で３時間反応させた後、アゾビスイソブチロニトリル１．０部をシクロヘキサノン５０部に溶解させたものを添加し、さらに８０℃で１時間反応を続けて、アクリル樹脂溶液を得た。
　室温まで冷却した後、アクリル樹脂溶液約２ｇをサンプリングして１８０℃、２０分加熱乾燥して不揮発分を測定し、先に合成したアクリル樹脂溶液に不揮発分が２０重量％になるようにシクロヘキサノンを添加して樹脂溶液（Ｂ２−５）を調製した。重量平均分子量（Ｍｗ）は４００００であった。
[0594]＜式（１）に示す顔料（Ａ１）の製造方法＞
［臭素化ジケトピロロピロール顔料（Ａ１−１）］
　還流管を付けたステンレス製反応容器に、窒素雰囲気下、モレキュラシーブで脱水したｔｅｒｔ−アミルアルコール２００部、およびナトリウム−ｔｅｒｔ−アミルアルコキシド１４０部を加え、撹拌しながら１００℃に加熱し、アルコラート溶液を調製した。一方で、ガラス製フラスコに、コハク酸ジイソプロピル８８部、４−ブロモベンゾニトリル１５３．６部を加え、撹拌しながら９０℃に加熱して溶解させ、これらの混合物の溶液を調製した。この混合物の加熱溶液を、１００℃に加熱した上記アルコラート溶液中に、激しく撹拌しながら、２時間かけて一定の速度でゆっくり滴下した。滴下終了後、９０℃にて２時間、加熱撹拌を継続し、ジケトピロロピロール系化合物のアルカリ金属塩を得た。さらに、ガラス製ジャケット付き反応容器に、メタノール６００部、水６００部、及び酢酸３０４部を加え、−１０℃に冷却した。この冷却した混合物を、高速撹拌ディスパーサーを用いて、直径８ｃｍのシェアディスクを４０００ｒｐｍで回転させながら、この中に、７５℃まで冷却した先に得られたジケトピロロピロール系化合物のアルカリ金属塩溶液を、少量ずつ添加した。この際、メタノール、酢酸、および水からなる混合物の温度が常に−５℃以下の温度を保つように、冷却しながら、かつ、７５℃のジケトピロロピロール系化合物のアルカリ金属塩の添加する速度を調整しながら、およそ１２０分にわたって少量ずつ添加した。アルカリ金属塩添加後、赤色の結晶が析出し、赤色の懸濁液が生成した。続いて、得られた赤色の懸濁液を５℃にて限外濾過装置で洗浄後、濾別し赤色ペーストを得た。このペーストを０℃に冷却したメタノール３５００部にて再分散し、メタノール濃度約９０％の懸濁液とし、５℃にて３時間撹拌し、結晶転移を伴う粒子整粒および洗浄を行った。続いて、限外濾過機で濾別し、得られたジケトピロロピロール系化合物の水ペーストを、８０℃にて２４時間乾燥させ、粉砕することにより式（１）に示す顔料（Ａ１）である臭素化ジケトピロロピロール顔料を１５０．８部得た。
[0595]　得られた臭素化ジケトピロロピロール顔料１００．０部、塩化ナトリウム１０００部、およびジエチレングリコール１２０部を、ステンレス製１ガロンニーダー（井上製作所製）中に仕込み、６０℃で８時間混練した。次に、混練した混合物を温水に投入し、約８０℃に加熱しながら１時間撹拌してスラリー状として、濾過および水洗をして食塩およびジエチレングリコールを除いた後、８０℃で一昼夜乾燥させ、粉砕することにより式（１）に示す臭素化ジケトピロロピロール顔料（Ａ１−１）９６．５部を得た。平均一次粒子径は３８ｎｍ、比表面積は８０ｍ２／ｇであった。
[0596]＜顔料分散体の製造方法＞
［顔料分散体（Ｐ−１）］
　下記の組成の混合物を均一に撹拌混合した後、直径１ｍｍのジルコニアビーズを用いて、アイガーミル（アイガージャパン社製「ミニモデルＭ−２５０　ＭＫＩＩ」）で５時間分散した後、５μｍのフィルタで濾過し顔料分散体（Ｐ−１）を得た。
　臭素化ジケトピロロピロール顔料（Ａ１−１）　８．７８部
　酸性樹脂型顔料分散剤　１．７４部
　（ビックケミー・ジャパン社製ＢＹＫ−１１１）
　顔料誘導体１　２．０５部
[化63]
　樹脂溶液（Ｂ２−５）　５．８３部
　シクロヘキサノン　８１．６０部
[0597]［顔料分散体（Ｐ−２）］
　臭素化ジケトピロロピロール顔料（Ａ１−１）を塩素化ジケトピロロピロール顔料（Ｃ．Ｉ．ピグメントレッド２５４；チバ・ジャパン社製「イルガフォーレッドＢ−ＣＦ」）に変更した以外は顔料分散体（Ｐ−１）と同様にして顔料分散体（Ｐ−２）を得た。
[0598]［顔料分散体（Ｐ−３）］
　下記の組成の混合物を均一に撹拌混合した後、直径１ｍｍのジルコニアビーズを用いて、アイガーミル（アイガージャパン社製「ミニモデルＭ−２５０　ＭＫＩＩ」）で５時間分散した後、５μｍのフィルタで濾過し顔料分散体（Ｐ−３）を得た。
　臭素化ジケトピロロピロール顔料（Ａ１−１）　６．８２部
　アントラキノン系顔料（Ｃ．Ｉ．Ｐｉｇｍｅｎｔ　Ｒｅｄ１７７）　１．０８部
　（チバ・ジャパン社製「クロモフタールレッドＡ２Ｂ」）
　ニッケルアゾ錯体系顔料（Ｃ．Ｉ．Ｐｉｇｍｅｎｔ　Ｙｅｌｌｏｗ１５０）　０．８８部
　（ランクセス社製「Ｅ４ＧＮ」）
　酸性樹脂型顔料分散剤　１．７４部
　（日本ルーブリゾール社製ソルスパース２１０００」）
　顔料誘導体１　２．０５部
[化64]
　樹脂溶液（Ｂ２−５）　５．８３部
　シクロヘキサノン　８１．６０部
[0599]［顔料分散体（Ｐ−４〜１０）］
　表Ｄ−２に示す、顔料、顔料誘導体、および樹脂型顔料分散剤の種類、および配合量に変更した以外は、顔料分散体（Ｐ−３）と同様にして顔料分散体（Ｐ−４〜１１）を得た。
[0600]
[表D-2]
[0601]　表Ｄ−２中の略語を下記に記す。
＜顔料＞
ＰＲ２５４；ジケトピロロピロール系顔料Ｃ．Ｉ．ピグメントレッド２５４
　チバ・ジャパン社製「イルガフォーレッドＢ−ＣＦ」
ＰＯ７１；ジケトピロロピロール系顔料Ｃ．Ｉ．ピグメントオレンジ７１
　チバ・ジャパン社製「イルガジンＤＰＰオレンジ３９８」
ＰＲ２４２；アゾ系顔料Ｃ．Ｉ．ピグメントレッド２４２
　クラリアント社製「ノボパーム」
ＰＲ１７９；ペリレン系顔料Ｃ．Ｉ．ピグメントレッド１７９
　大日本インキ化学工業（株）製「ファーストゲンスパーマルーンＰＳＫ」
ＰＲ１２２；キナクリドン系顔料Ｃ．Ｉ．ピグメントレッド１２２
　クラリアント社製「ホスタパーム」
ＰＹ１８０；ベンズイミダゾロン系顔料Ｃ．Ｉ．ピグメントイエロー１８０
　クラリアント社製「ＰＶファーストイエローＨＧ
ＰＹ１３８；キノリン系顔料Ｃ．Ｉ．ピグメントイエロー１８０
　ＢＡＳＦ社製「パリオトールイエローＫ０９６０−ＨＤ」
[0602]＜顔料誘導体＞
[化65]
[化66]
[化67]
・・・
[0611]［実施例７〜３１、参考例３〜９］
（感光性着色組成物（ＲＲ−１〜３２））
表Ｄ−４〜１０に示す組成、配合量で各材料を混合・撹拌し、１μｍのフィルタで濾過して、感光性着色組成物（ＲＲ−１〜３２）を得た。
[0612][表D-4]
[0613][表D-5]
[0614][表D-6]
[0615]
[表D-7]
[0616][表D-8]
[0617][表D-9]
[0618][表D-10]
[0619]　表Ｄ−４〜１０中の略語について以下に示す。
＜光重合開始剤（Ｄ）＞
光重合開始剤Ｄ１：２−メチル−１−［４−（メチルチオ）フェニル］−２−モルフォリノプロパン−１−オン
（チバ・ジャパン社製「イルガキュア９０７」）
光重合開始剤Ｄ２：２−（ジメチルアミノ）−２−［（４−メチルフェニル）メチル］−１−［４−（４−モルホリニル）フェニル］−１−ブタノン
（チバ・ジャパン社製「イルガキュア３７９」）
光重合開始剤Ｄ３：２，４，６−トリメチルベンゾイル−ジフェニル−ホスフィンオキサイド
（ＢＡＳＦ社製「ルシリンＴＰＯ」）
光重合開始剤Ｄ４：２，２’−ビス（ｏ−クロロフェニル）−４，５，４’，５’−テトラフェニル−１，２’−ビイミダゾール
（黒金化成社製「ビイミダゾール」）
光重合開始剤Ｄ５：ｐ−ジメチルアミノアセトフェノン
（ダイキファイン社製「ＤＭＡ」）
光重合開始剤Ｄ６：エタン−１−オン，１−［９−エチル−６−（２−メチルベンゾイル）−９Ｈ−カルバゾール−３−イル］，１−（Ｏ−アセチルオキシム）
（チバ・ジャパン社製「イルガキュアＯＸＥ０２」）
[0620]＜増感剤＞
増感剤Ｅ１：２，４−ジエチルチオキサントン
（日本化薬社製「カヤキュアＤＥＴＸ−Ｓ」）
増感剤Ｅ２：４，４’−ビス（ジエチルアミノ）ベンゾフェノン
（保土谷化学工業社製「ＥＡＢ−Ｆ」）
[0621]＜光重合性化合物＞
光重合性化合物Ｃ１：ジペンタエリスリトールヘキサアクリレート
（東亞合成社製「アロニックスＭ−４０２」）
[0622]＜多官能チオール＞
多官能チオールＦ１：トリメチロールエタントリス（３−メルカプトブチレート）
（昭和電工社製「ＴＥＭＢ」）
多官能チオールＦ２：トリメチロールプロパントリ（３−メルカプトブチレート）
（昭和電工社製「ＴＰＭＢ」）
多官能チオールＦ３：ペンタエリスリトールテトラキス（３−メルカプトプロピオネート）
（堺化学工業社製「ＰＥＭＰ」）
[0623]＜紫外線吸収剤＞
紫外線吸収剤Ｇ１：２−［４−［（２−ヒドロキシ−３−（ドデシルおよびトリデシル）オキシプロピル）オキシ］−２−ヒドロキシフェニル］−４，６−ビス（２，４−ジメチルフェニル）−１，３，５−トリアジン
（チバ・ジャパン社製「ＴＩＮＵＶＩＮ４００」）
紫外線吸収剤Ｇ２：２−（２Ｈ−ベンゾトリアゾール−２−イル）−４，６−ビス（１−メチル−１−フェニルエチル）フェノール
（チバ・ジャパン社製「ＴＩＮＵＶＩＮ９００」）
[0624]＜貯蔵安定剤＞
貯蔵安定剤Ｊ１：２，６−ビス（１，１−ジメチルエチル）−４−メチルフェノール
（本州化学工業社製「ＢＨＴ」）
貯蔵安定剤Ｊ２：トリフェニルホスフィン
（北興化学工業社製「ＴＰＰ」）
[0625]＜溶剤＞
ＰＧＭＡＣ：プロピレングリコールモノメチルエーテルアセテート
[0626]［感光性着色組成物の評価］
・・・
[0627]（色特性、コントラスト比（ＣＲ）評価）
・・・
[0628]（塗膜表面の結晶析出評価）
・・・
[0629]（感度、直線性、パターン形状、解像度、現像耐性、薬品耐性評価）
・・・
[0630]（感度評価）
・・・
[0631]（直線性評価）
・・・
[0632]（パターン形状評価）
・・・
[0633]（解像性評価）
・・・
[0634]（現像耐性評価）
・・・
[0635]（薬品耐性評価）
・・・
[0636]（着色組成物の経時安定性評価）
・・・
[0637][表D-11]
[0638]　表Ｄ−１１に示すように、式（１）に示す顔料（Ａ１）と構成単位（Ｄｂ１）〜（Ｄ−ｂ３）を有する樹脂（Ｄ−Ｂ１）とを含むカラーフィルタ用着色組成物は、全ての評価で高水準の評価結果を得た。
[0639]　すなわち顔料（Ａ１）との組み合わせにおいて、樹脂（Ｄ−Ｂ１）の構成単位（Ｄ−ｂ１）を多く含有する構成ではコントラストの向上と経時安定性の安定化が、構成単位（Ｄ−ｂ２）を多く含有する構成では明度の向上と耐薬品性の向上が、構成単位（Ｄ−ｂ３）を多く含有する構成では加熱工程における顔料の結晶析出を抑える効果と解像度を抑える効果が認められる傾向にあるが、いずれも構成単位が特定の含有比を満たしていれば、高い性能を有した感光性着色組成物を得ることができる。適切な構成単位比にすることにより、高性能でバランスの良いカラーフィルターセグメントを得ることが可能となる。」
　
（２）甲第２号証
２ａ）「【請求項１】
　少なくとも顔料（Ａ）、３級以下のアミンを有する重合体（Ｂ）、アミンと反応可能な低分子化合物（Ｃ）、及び溶剤（Ｄ）を混合し、前記重合体（Ｂ）と前記低分子化合物（Ｃ）とを反応させながら、前記顔料（Ａ）を分散させる顔料分散工程を有することを特徴とする、顔料分散液の製造方法。
・・・
【請求項５】
請求項１乃至４のいずれかに記載の顔料分散液の製造方法を用いて製造されたことを特徴とする顔料分散液。
【請求項６】
　請求項５に記載の顔料分散液と、多官能性モノマー（Ｅ）、及び光重合開始剤（Ｆ）を含有することを特徴とする、カラーフィルター用感光性着色樹脂組成物。」
　
２ｂ）「【０００４】
　近年、カラーフィルターの色再現性向上のため、着色層に対しては、より高透過、且つ高濃度であることが要求されている。
・・・
【０００６】
　また近年、より高精細、高輝度、高コントラストの画面が求められており、これに対してより微細な顔料の使用が検討されている。
・・・
【発明が解決しようとする課題】
【００１０】
　上記実情に鑑み、本発明は、微細な顔料や顔料濃度が高い場合においても顔料分散安定性に優れ、生産性が高い顔料分散液及びその製造方法、顔料分散安定性に優れながら、地汚れの問題がなく、密着性に優れ、顔料濃度の高い着色層を精度良く形成可能なカラーフィルター用感光性着色樹脂組成物、及び当該樹脂組成物を用いたカラーフィルターを提供することを目的とするものである。
・・・
【００１３】
　本発明によれば、溶剤（Ｄ）中で、顔料（Ａ）、３級以下のアミンを有する重合体（Ｂ）、アミンと反応可能な低分子化合物（Ｃ）を混合し、前記重合体（Ｂ）と前記低分子化合物（Ｃ）とを反応させながら、前記顔料（Ａ）を分散することにより、微細な顔料や顔料濃度が高い場合においても顔料分散安定性に優れた顔料分散液を提供することができる。」
　
２ｃ）「【００２８】
　以下、本発明の顔料分散液は、顔料（Ａ）、３級以下のアミンを有する重合体（Ｂ）及び／又はその反応物、前記重合体のアミンと反応可能な低分子化合物（Ｃ）及び／又はその反応物、及び溶剤（Ｄ）を少なくとも含有するが、更に必要に応じて他の成分を含んでもよいものである。以下、用いられる各成分を説明する。
＜顔料（Ａ）＞
　本発明に用いられる顔料としては、公知の顔料を用いることができる。本発明において使用可能な有機顔料の具体例を下記表１および表２に示す。
・・・
【００３１】
　また、用いることができる無機顔料としては、・・・。」
　
２ｄ）「【００３４】
＜３級以下のアミンを有する重合体（Ｂ）＞
　３級以下のアミンを有する重合体（Ｂ）とは、３級アミン、２級アミン、及び１級アミンよりなる群から選択される１種以上のアミンを有する重合体である。・・・
【００３８】
　重合体の主鎖構造としては、例えば、（メタ）アクリル系樹脂、ポリウレタン系樹脂、ポリエステル系樹脂、・・・が挙げられる。中でも、（メタ）アクリル系樹脂、ポリウレタン系樹脂が好ましい。
【００３９】
　３級以下のアミンを有する重合体（Ｂ）は、市販の顔料分散剤から適宜選択して用いてもよい。このような市販の顔料分散剤としては、例えば、具体的な商品名として、Ciba EFKA-4300, Ciba EFKA-4330（以上、チバスペシャリティケミカルズ社製）、Disperbyk161, Disperbyk162, Disperbyk182, Disperbyk2001, BYK-LPN6919, BYK-LPN21116（以上、ビックケミー社製）、・・・、アジスパーPB821、アジスパーPB822、アジスパーPB827（以上、味の素ファインテクノ（株）製）等を挙げることができる。」
　
２ｅ）「【００４２】
＜前記重合体のアミンと反応可能な低分子化合物（Ｃ）＞
　前記重合体のアミンと反応可能な低分子化合物（Ｃ）は、溶剤中で組み合わせて用いる前記重合体（Ｂ）が有するアミンと反応可能な官能基を有する低分子化合物である。アミンと反応可能な官能基としては、例えば、・・・、リン酸エステル等が挙げられる。
・・・
【００４９】
　前記重合体のアミンと反応可能な低分子化合物（Ｃ）としては、具体的には例えば、・・・、モノブチルリン酸、ジブチルリン酸、メチルリン酸、ジベンジルリン酸、ジフェニルリン酸、フェニルホスフィン酸、フェニルホスホン酸などが挙げられる。」
　
２ｆ）「【００５０】
　前記重合体のアミンと反応可能な低分子化合物（Ｃ）の配合量は、顔料を均一に分散することができるものであれば特に限定されるものではないが、上記３級以下のアミンを有する重合体（Ｂ）の１００重量部に対して、５〜５０重量部であることが好ましく、更に１０〜４０重量部であることが、顔料分散安定性の点から好ましい。」
　
２ｇ）「【００５２】
＜溶剤（Ｄ）＞
　本発明に係る顔料分散液には、顔料を分散させるために溶剤が含まれる。
本発明に用いられる溶剤としては、本発明に用いられる各成分とは反応せず、これらを溶解もしくは均一に分散可能な溶剤であれば良い。具体的には、・・・エチレングリコールモノメチルエーテルアセテート等のエチレングリコールモノアルキルエーテルアセテート類；ジエチレングリコールモノメチルエーテル、ジエチレングリコールモノエチルエーテル等のジエチレングリコールモノアルキルエーテル類；・・・；プロピレングリコールモノメチルエーテルアセテート（ＰＧＭＥＡ）、プロピレングリコールモノエチルエーテルアセテート等のプロピレングリコールモノアルキルエーテルアセテート類；ジエチレングリコールジメチルエーテル等の他のエーテル類；シクロヘキサノン、２−ヘプタノン、３−ヘプタノン等のケトン類；・・・、酢酸ｎ−ブチル、酢酸イソブチル、ぎ酸ｎ−アミル、酢酸イソアミル、プロピオン酸ｎ−ブチル、酪酸エチル、酪酸イソプロピル、酪酸ｎ−ブチル、ピルビン酸エチル等の他のエステル類；・・・等を挙げることができる。」
　
２ｈ）「【００５４】
＜その他の成分＞
本発明の顔料分散液は、必要に応じて本発明の目的を妨げない範囲において、その他の成分を含んでいても良い。たとえば、その後の着色樹脂組成物を調製する際に、着色樹脂組成物を構成する感光性組成物と前記顔料分散液が相溶しやすくするためのポリマー（バインダー樹脂）を含んでいても良い。このようなポリマーは選択により、顔料分散補助樹脂としても機能する。
その他、・・・を添加することができる。
【００５５】
　［バインダー樹脂］
　本発明に用いられるバインダー樹脂としては、特に限定されるものではないが、カラーフィルターの製造に用いられることから、耐熱性および、製造工程において使用される有機溶剤への耐性を有する樹脂であることが好ましい。具体的には、エポキシ系樹脂、（メタ）アクリル系樹脂、ウレタン系樹脂、ポリエステル系樹脂、ポリイミド系樹脂、ポリオレフィン系樹脂などの感光性または非感光性の樹脂を挙げることができる。
【００５６】
　上述したなかでも、特に好ましい樹脂としては、カルボキシル基等の酸性官能基を有するアルカリ可溶性樹脂を挙げることができる。カルボキシル基を有するアルカリ可溶性樹脂としては、カルボキシル基含有不飽和単量体と、他の共重合可能なエチレン性不飽和単量体との共重合体が好ましく、さらに分子内にエポキシ基と、エチレン性不飽和基とを併せ持つ化合物、例えばグリシジル（メタ）アクリレートなどを付加させ、側鎖にエチレン性不飽和基を導入したものも好ましい。
【００５７】
　カルボキシル基不飽和単量体としては、例えば、（メタ）アクリル酸、マレイン酸、・・・等が好ましく、（メタ）アクリル酸が特に好ましい。なお、カルボキシル基含有不飽和単量体は、単独もしくは数種類を組み合わせることができる。
【００５８】
　エチレン性不飽和単量体としては、メチル（メタ）アクリレート、ｎ−ブチル（メタ）アクリレート、・・・、アリル（メタ）アクリレート、・・・、ベンジル（メタ）アクリレート、・・・、２−エチルヘキシル（メタ）アクリレート、・・・等を挙げることができる。なお、エチレン性不飽和単量体は、単独もしくは数種類を組み合わせることができる。」
　
２ｉ）「【００６９】
＜多官能性モノマー（Ｅ）＞
　本発明のカラーフィルター用感光性着色樹脂組成物に含まれる多官能性モノマーとしては、重合可能なものであれば特に限定されるものではないが、通常、エチレン性不飽和二重結合を２つ以上含むものである。
　このような多官能性モノマーとしては、なかでも、アクリロイル基またはメタクリロイル基を有する多官能（メタ）アクリレートであることが好ましい。
・・・
【００７１】
　また、多官能（メタ）アクリレートとしては、例えばトリメチロールプロパントリ（メタ）アクリレート、・・・、ペンタエリスリトールトリ（メタ）アクリレート、・・・、ジペンタエリスリトールヘキサ（メタ）アクリレート、ジペンタエリスリトールペンタ（メタ）アクリレート、・・・等の三官能以上の（メタ）アクリレートが挙げられる。
　これらの多官能（メタ）アクリレートは、１種のみを単独で使用してもよく、２種以上を併用して使用してもよい。
・・・
【００７９】
＜その他の成分＞
　更に、本発明のカラーフィルター用感光性着色樹脂組成物には、必要に応じて、その他の成分を含有することができる。中でも、上述したバインダー樹脂のうち、カルボキシル基等の酸性官能基を有するアルカリ可溶性樹脂を含有することが現像性の点から好ましい。
・・・
【００８３】
　本発明の感光性着色樹脂組成物に用いられる溶剤（Ｄ）の含有量としては、着色層を精度良く形成することができるものであれば特に限定されるものではない。」
　
２ｊ）「【００９０】
＜着色層＞
　本発明に用いられる着色層は、上記カラーフィルター用感光性着色樹脂組成物を用いて形成されたものである。
・・・
【００９１】
　本発明に用いられる着色層の形成方法は、上記カラーフィルター用感光性着色樹脂組成物を、後述する透明基板上に塗布し、乾燥させ、露光および現像を行うフォトリソグラフィー法により形成することができる。
・・・
【００９２】
＜カラーフィルター＞
  本発明のカラーフィルターは、上記着色層以外に、通常、透明基板と、遮光部とを少なくとも有するものである。」
　
２ｋ）「【００９７】
（実施例２：顔料分散液の製造）
　３級以下のアミンを有する重合体（Ｂ）（ＭＭＡ／ＤＭＭＡ＝６０／４０重量％、アミン価 １４０mgKOH／g、重量平均分子量 １０，０００、ＰＧＭＥＡ溶液、固形分６０重量％）を８．３重量部、酸基含有バインダー樹脂（ＢｚＭＡ／ＭＭＡ／ＭＡＡ＝５０／３５／１５重量％、重量平均分子量 １０，０００、ＰＧＭＥＡ溶液、固形分４０重量％）を６．１重量部、及び溶剤（Ｄ）（ＰＧＭＥＡ）を６９．１重量部についてディゾルバーで撹拌混合して、重合体溶液を得た。当該重合体溶液に、重合体のアミンと反応可能な低分子化合物（Ｃ）（リン酸ジブチル、DP-4；商品名、大八化学社製）を１．０重量部及びＢｚＣｌ（ベンジルクロライド、関東化学社製）を０．５重量部、並びに顔料（Ａ）（Ｃ．Ｉ．ピグメントレッド２５４）１５．０重量部を添加し、ビーズミルを用いて、前記重合体（Ｂ）と前記低分子化合物（Ｃ）とを反応させながら、前記顔料（Ａ）を分散し、実施例２の顔料分散液を製造した。
・・・
【０１０５】
（実施例５〜８及び比較例６〜１０：着色感光性樹脂組成物）
　実施例１〜４及び比較例１〜５の顔料分散液をそれぞれ用い、下記に示す組成を、ディゾルバーを使用して均一に混合して、実施例５〜８及び比較例６〜１０の感光性着色樹脂組成物を調製した。
＜感光性着色樹脂組成物の組成＞
・各顔料分散液：１６．０重量部（固形分換算）
・バインダー樹脂（ＢｚＭＡ／ＭＡＡ／ＧＭＡ＝３０／４０／３０重量％、重量平均分子量 １２，０００）：７．７重量部
・多官能モノマー（ジペンタエリストールヘキサアクリレート（ＤＰＨＡ））：３．３重量部
・光重合開始剤（ＩＲＧＡＣＵＲＥ３６９、チバスペシャリティーケミカルズ社製）：１重量部
・光重合開始剤（ＩＲＧＡＣＵＲＥ９０７、チバスペシャリティーケミカルズ社製）：１重量部
・溶剤（プロピレングリコールモノメチルエーテルアセテート（ＰＧＭＥＡ））：６０．８重量部」
　
（３）甲第３号証
３ａ）「【要約】
【課題】固体撮像素子用の微細化したカラーフィルタの製造方法において、着色画素の剥がれを回避すること、および、簡単な工程により平坦で形状の良好な着色画素からなるカラーフィルタ着色層を得ること。」
　
（４）甲第４号証
４ａ）「【要約】
【課題】加法混色タイプのカラー固体撮像素子に適した、色再現性に優れた、カラーフィルタの形成。」
　
（５）甲第１号証に記載された発明
　甲第１号証には、第６の実施態様のカラーフィルター用着色組成物が記載され、該組成物は、「顔料（Ａ）と、バインダー樹脂（Ｄ−Ｂ）と、溶剤とを含むカラーフィルタ用着色組成物であって、顔料（Ａ）が、式（１）に示す顔料（Ａ１）を含み、バインダー樹脂（Ｄ−Ｂ）が、下記構成単位（Ｄ−ｂ１）〜（Ｄ−ｂ３）を有する樹脂（Ｄ−Ｂ１）を含む
（Ｄ−ｂ１）カルボキシル基を有する構成単位：２〜６０重量％
（Ｄ−ｂ２）式（Ｄ−２）または（Ｄ−３）に示す芳香族環基を有する構成単位：２〜８０重量％
（Ｄ−ｂ３）式（Ｄ−４）または（Ｄ−５）に示す脂肪族環基を有する構成単位：２〜６０重量％
[化43]
[化44]
［式（Ｄ−２）及び（Ｄ−３）中、Ｒは、水素原子、またはベンゼン環を有していてもよい炭素数１〜２０のアルキル基である。式（Ｄ−３）中の破線部は、ベンゼン環に隣あう、置換基を有しても良い一個以上の飽和または不飽和の複素環を含む環状構造を示す。］
[化45]
[化46]
」ものであり、感光性着色組成物として用いることができるものである（摘示１ｂ〜１ｄ）。
　また、甲第１号証には、第６の実施態様の着色組成物について、該組成物には、顔料分散剤（Ｄ−Ｃ）、光重合開始剤（Ｄ−Ｄ）、増感剤、光重合性化合物、多官能チオール、紫外線吸収剤、重合禁止剤、貯蔵安定剤、その他の添加剤等の任意成分を含有させることができることが記載されており、任意成分の具体例として樹脂型分散剤、光重合性単量体（光重合性化合物）が記載されており（摘示１ｅ）、実施例として、臭素化ジケトピロロピロール顔料（Ａ１−１）（式（１）に示す顔料に相当）、酸性樹脂型顔料分散剤、樹脂溶液（バインダー樹脂（Ｄ−Ｂ）に相当）、光重合性化合物、溶剤を含有する感光性着色組成物が記載されている（摘示１ｇ、例えば実施例７）。
　してみると、甲第１号証には、
「顔料（Ａ）と、バインダー樹脂（Ｄ−Ｂ）と、溶剤と、光重合性化合物と、樹脂型分散剤を含むカラーフィルタ用着色組成物であって、顔料（Ａ）が、式（１）に示す顔料（Ａ１）を含み、バインダー樹脂（Ｄ−Ｂ）が、下記構成単位（Ｄ−ｂ１）〜（Ｄ−ｂ３）を有する樹脂（Ｄ−Ｂ１）を含むカラーフィルター用着色組成物
（Ｄ−ｂ１）カルボキシル基を有する構成単位：２〜６０重量％
（Ｄ−ｂ２）式（Ｄ−２）または（Ｄ−３）に示す芳香族環基を有する構成単位：２〜８０重量％
（Ｄ−ｂ３）式（Ｄ−４）または（Ｄ−５）に示す脂肪族環基を有する構成単位：２〜６０重量％
[化43]
[化44]
［式（Ｄ−２）及び（Ｄ−３）中、Ｒは、水素原子、またはベンゼン環を有していてもよい炭素数１〜２０のアルキル基である。式（Ｄ−３）中の破線部は、ベンゼン環に隣あう、置換基を有しても良い一個以上の飽和または不飽和の複素環を含む環状構造を示す。］
[化45]
[化46]
」の発明（以下「甲１発明１」という。）が記載されているといえる。
　さらに、甲第１号証には、第６の実施態様の着色組成物は、第５の実施態様の着色組成物と同様の製造方法により製造することができることが記載されており（摘示１ｅ）、感光性着色組成物の製法として、概要、顔料、バインダー樹脂等の色素担体、溶剤、顔料分散剤から顔料分散体を製造し、該顔料分散体に光重合性化合物等を混合撹拌して製造することができる旨が記載されており（摘示１ｂ）、実施例として、臭素化ジケトピロロピロール顔料（Ａ１−１）（式（１）に示す顔料に相当）、樹脂溶液、酸性樹脂型顔料分散剤、溶剤を含有する顔料分散体が記載されている（摘示１ｇ。例えば、顔料分散体Ｐ−１、Ｐ−３。）。
　してみると、甲第１号証には、
「顔料（Ａ）と、溶剤と、色素担体と、樹脂型分散剤を含む顔料分散体であって、顔料（Ａ）が、式（１）に示す顔料（Ａ１）を含む顔料分散体
」の発明（以下「甲１発明２」という。）が記載されているといえる。
　
（６）甲第２号証に記載された発明
　甲第２号証には、請求項１に、「少なくとも顔料（Ａ）、３級以下のアミンを有する重合体（Ｂ）、アミンと反応可能な低分子化合物（Ｃ）、及び溶剤（Ｄ）を混合し、前記重合体（Ｂ）と前記低分子化合物（Ｃ）とを反応させながら、前記顔料（Ａ）を分散させる顔料分散工程を有することを特徴とする、顔料分散液の製造方法。」が記載され、請求項５に、「請求項１乃至４のいずれかに記載の顔料分散液の製造方法を用いて製造されたことを特徴とする顔料分散液。」が記載され、請求項６に、「請求項５に記載の顔料分散液と、多官能性モノマー（Ｅ）、及び光重合開始剤（Ｆ）を含有することを特徴とする、カラーフィルター用感光性着色樹脂組成物。」が記載されており（摘示２ａ）、感光性着色樹脂組成物にバインダー樹脂を含有することができること、溶剤が用いられることが記載されており（摘示２ｉ）、実施例として、上記顔料分散液（溶剤を含有する）、バインダー樹脂、多官能モノマー、光重合開始剤、溶剤を含有する感光性着色樹脂組成物が記載されている（摘示２ｋ）から、甲第２号証には、
「少なくとも顔料（Ａ）、３級以下のアミンを有する重合体（Ｂ）、アミンと反応可能な低分子化合物（Ｃ）、及び溶剤（Ｄ）を混合し、前記重合体（Ｂ）と前記低分子化合物（Ｃ）とを反応させながら、前記顔料（Ａ）を分散させる顔料分散工程を有する顔料分散液の製造方法により製造された顔料分散液と、バインダー樹脂、多官能性モノマー（Ｅ）、及び光重合開始剤（Ｆ）を含有することを特徴とする、カラーフィルター用感光性着色樹脂組成物」の発明（以下「甲２発明１」という。）及び
「少なくとも顔料（Ａ）、３級以下のアミンを有する重合体（Ｂ）、アミンと反応可能な低分子化合物（Ｃ）、及び溶剤（Ｄ）を混合し、前記重合体（Ｂ）と前記低分子化合物（Ｃ）とを反応させながら、前記顔料（Ａ）を分散させる顔料分散工程を有する顔料分散液の製造方法により製造された顔料分散液」の発明（以下「甲２発明２」という。）が記載されているといえる。
　
第５　当審の判断
１　理由１（新規性）について
（１）本件発明１について
　本件発明１と甲１発明１とを対比する。
　甲１発明１の顔料（Ａ１）は本件発明１の式（１）で表される顔料に一致し、甲１発明１の顔料（Ａ）は顔料（Ａ１）を含むこと、甲１発明１はカラーフィルター用着色組成物であることから、甲１発明１の顔料（Ａ）が本件発明１の（Ａ）着色剤に相当することは明らかである。また、甲１発明１のバインダー樹脂（Ｄ−Ｂ）、光重合性化合物は、それぞれ、本件発明１の（Ｃ）バインダー樹脂、（Ｄ）重合性化合物に該当する。さらに、甲１発明１の樹脂型分散剤は、分散剤である限りにおいて、本件発明１の分散剤と共通する成分である。
　したがって、本件発明１と甲１発明１とは、
「（Ａ）着色剤、（Ｃ）バインダー樹脂及び（Ｄ）重合性化合物を含む着色組成物であって、
　（Ａ）着色剤が、下記式（１）で表される顔料を含み、
　更に、分散剤を含む、着色組成物。
　　【化１】
〔式（１）において、Ｒ1及びＲ2は、臭素原子を表す。〕
」である点で一致し、
　本件発明１が、「（Ｂ１）リン酸エステル、及び（Ｂ２）窒素原子を有する分散剤を含む」としているのに対し、甲１発明１は、樹脂型分散剤を含むとしている点で相違する。
　そして、本件優先日当時の技術常識を参酌しても、甲１発明１が、（Ｂ１）リン酸エステル、及び（Ｂ２）窒素原子を有する分散剤を含むとはいえないから、当該相違点が実質的な相違点でないということもできない。
　したがって、本件発明１は甲第１号証に記載された発明とはいえない。
　
（２）本件発明２、４〜８について
　本件発明２は、本件発明１について、（Ｂ２）窒素原子を有する分散剤が、（メタ）アクリル系分散剤及びポリエステル系分散剤であって、アミノ基、四級アンモニウム、アミド基及びイミノ基から選ばれる１以上の特性基を有する分散剤、並びにウレタン系分散剤のうちの少なくとも１種であることを、
　本件発明３は、本件発明１、２について、（Ｂ１）リン酸エステルの含有量ｗ1と、（Ｂ２）窒素原子を有する分散剤の含有量ｗ2との比（ｗ1／ｗ2）が質量比で１０／９０〜９０／１０であることを、
　本件発明４は、本件発明１〜３について、（Ｂ１）リン酸エステルの酸価が１〜１５０ｍｇＫＯＨ／ｇであることを、
　本件発明５は、本件発明１〜４について、（Ｂ１）リン酸エステルが、ポリエーテルリン酸エステル系重合体であることを
　本件発明６は、本件発明１〜５について、（Ａ）着色剤が、前記式（１）で表される顔料以外の着色剤を含むことを、
　それぞれ特定するものであり、
　本件発明７は、本件発明１〜６の着色組成物を用いて形成された着色硬化膜であり、
　本件発明８は、本件発明７の着色硬化膜を具備する表示素子であるところ、
　本件発明２、４〜８は、いずれも本件発明１の発明特定事項を有する発明であるといえるから、本件発明１が甲第１号証に記載された発明であるといえない以上、本件発明２、４〜８も甲第１号証に記載された発明であるとはいえない。
　
（３）本件発明１０について
　本件発明１０と甲１発明２とを対比する。
　甲１発明２の顔料（Ａ１）は本件発明１０の式（１）で表される顔料に一致し、甲１発明２の顔料（Ａ）は顔料（Ａ１）を含むことから、甲１発明２の顔料（Ａ）が本件発明１０の（Ａ）着色剤に相当することは明らかである。また、甲１発明２の溶剤は、本件発明１０の（Ｆ）溶媒に相当する。そして、甲１発明２は、溶剤を含む顔料分散体であるから、着色剤分散液であるといえる。さらに、甲１発明２の樹脂型分散剤は、分散剤である限りにおいて、本件発明１０の分散剤と共通する成分である。
　したがって、本件発明１０と甲１発明２とは、
「（Ａ）着色剤及び（Ｆ）溶媒を含む着色剤分散液であって、
　（Ａ）着色剤が、下記式（１）で表される顔料を含み、
　更に、分散剤を含む、着色剤分散液。
　　【化２】
〔式（１）において、Ｒ1及びＲ2は、臭素原子を表す。〕」である点で一致し、
　本件発明１０が、「（Ｂ１）リン酸エステル、及び（Ｂ２）窒素原子を有する分散剤を含む」としているのに対し、甲１発明２は、色素担体と、樹脂型分散剤を含むとしている点で相違する。
　そして、本件優先日当時の技術常識を参酌しても、甲１発明２が、（Ｂ１）リン酸エステル、及び（Ｂ２）窒素原子を有する分散剤を含むとはいえないから、当該相違点が実質的な相違点でないということもできない。
　したがって、本件発明１０は甲第１号証に記載された発明とはいえない。
　
（４）特許異議申立人の主張について
　特許異議申立人は、特許異議申立書において、甲第１号証の種々の記載を組み合わせて、甲第１号証には、「下記式（１）（当審注：式略）に示される臭素化ジケトピロロピロール顔料を含む顔料、バインダー樹脂、光重合性化合物を含む顔料組成物であって、リン酸エステル及び窒素原子を有する分散剤を含む、顔料組成物」の発明が記載されている旨主張する。
　そこで検討するに、甲第１号証には、樹脂型分散剤としてポリカルボン酸（部分）アミン塩のような窒素原子を有するもの、Ｄｉｓｐｅｒｂｙｋ−１１１、ＳＯＬＳＰＥＲＳＥ−４１０００（それぞれ、本件特許明細書において、リン酸エステルとして例示された、Ｄｉｓｐｅｒｂｙｋ−１１１、ソルスパース４１０００に該当するとも解される）が記載され、任意成分の界面活性剤としてポリオキシエチレンアルキルエーテルリン酸エステルが記載されており（摘示１ｅ）、これらの物質は本件発明の（Ｂ１）リン酸エステル、（Ｂ２）窒素原子を有する分散剤に相当するとはいえるものの、これらは、樹脂型分散剤及び任意成分として例示された物質の一つに過ぎず、甲第１号証にはその他にも多数の物質が樹脂型分散剤及び任意成分として例示されており、（Ｂ１）リン酸エステル、（Ｂ２）窒素原子を有する分散剤に相当する物質を組み合わせて特定して配合した着色組成物の具体的な記載もない（なお、[0596]に記載の顔料分散体Ｐ−１に配合された「ビックケミー・ジャパン社製ＢＹＫ−１１１」はＤｉｓｐｅｒｂｙｋ−１１１と表記が一致せず、仮にこれがＤｉｓｐｅｒｂｙｋ−１１１と同じものであったとしても、Ｐ−１には（Ｂ２）窒素原子を有する分散剤は配合されていない。）。
　したがって、甲第１号証に特許異議申立人が主張するとおりの発明が記載されているということはできず、上記主張を採用することはできない。
　
２　理由２（進歩性）について
（１）本件発明１について
ア　甲第１号証を主引用例とする場合
　本件発明１と甲１発明１との一致点、相違点は、上記１（１）で示したとおりである。
　当該相違点について検討する。
　甲第１号証には、樹脂型分散剤としてポリカルボン酸（部分）アミン塩のような窒素原子を有するもの、Ｄｉｓｐｅｒｂｙｋ−１１１、ＳＯＬＳＰＥＲＳＥ−４１０００（それぞれ、本件特許明細書において、リン酸エステルとして例示された、Ｄｉｓｐｅｒｂｙｋ−１１１、ソルスパース４１０００に該当するとも解される）が記載され、任意成分の界面活性剤としてポリオキシエチレンアルキルエーテルリン酸エステルが記載されており（摘示１ｅ）、これらの物質は本件発明の（Ｂ１）リン酸エステル、（Ｂ２）窒素原子を有する分散剤に相当するとはいえるものの、これらは、樹脂型分散剤及び任意成分として例示された物質の一つに過ぎず、甲第１号証にはその他にも多数の物質が樹脂型分散剤及び任意成分として例示されており、（Ｂ１）リン酸エステル、（Ｂ２）窒素原子を有する分散剤に相当する物質を組み合わせて特定して配合した着色組成物の具体的な記載もない（なお、[0596]に記載の顔料分散体Ｐ−１に配合された「ビックケミー・ジャパン社製ＢＹＫ−１１１」はＤｉｓｐｅｒｂｙｋ−１１１と表記が一致せず、仮にこれがＤｉｓｐｅｒｂｙｋ−１１１と同じものであったとしても、Ｐ−１には（Ｂ２）窒素原子を有する分散剤は配合されていない。）。
　そして、甲第１号証には、上述のとおり、樹脂型分散剤及び任意成分が多数例示されているから、樹脂型分散剤及び任意成分の組合せの数は膨大なものとなり、そのような組合せの中から、本件発明１に係る（Ｂ１）リン酸エステル、及び（Ｂ２）窒素原子を有する分散剤を組み合わせてカラーフィルター用着色組成物に配合することが当業者が容易になし得る事項であるとはいえない。
　また、甲第２号証には、３級以下のアミンを有する重合体（Ｂ）とアミンと反応可能な低分子化合物（Ｃ）を用いること、低分子化合物（Ｃ）としてリン酸エステルに相当するリン酸ジブチルを用いることが記載されているが（摘示２ａ、２ｋ）、重合体（Ｂ）と低分子化合物（Ｃ）とは顔料分散液の製造時に反応させるものであり、顔料分散液中には反応させたものとして存在するといえるから、甲第２号証の記載を考慮しても、甲１発明１において、（Ｂ１）リン酸エステル、（Ｂ２）窒素原子を有する分散剤を含むものとすることが当業者が容易になし得る事項であるとはいえない。
（なお、甲第２号証には、「本発明の顔料分散液は、顔料（Ａ）、３級以下のアミンを有する重合体（Ｂ）及び／又はその反応物、前記重合体のアミンと反応可能な低分子化合物（Ｃ）及び／又はその反応物、及び溶剤（Ｄ）を少なくとも含有する」との記載があり（摘示２ｃ）、形式的には、３級以下のアミンを有する重合体（Ｂ）とアミンと反応可能な低分子化合物（Ｃ）について、反応させていないものを含有する顔料分散液を包含するとも解される記載も存在するが、特許請求の範囲を含めた甲第２号証の全体の記載からみて、実質的に、顔料分散液には、３級以下のアミンを有する重合体（Ｂ）とアミンと反応可能な低分子化合物（Ｃ）とを反応させた顔料分散液が記載されているに過ぎず、反応させていない、３級以下のアミンを有する重合体（Ｂ）とアミンと反応可能な低分子化合物（Ｃ）の両者を含有する顔料分散液が記載ないし示唆されているとはいえない。）
　さらに、甲第３号証は、固体撮像素子用の微細化したカラーフィルタの製造方法について、甲第４号証は、加法混色タイプのカラー固体撮像素子に適した、色再現性に優れた、カラーフィルタの形成について記載するに過ぎないから、甲第３及び甲第４号証の記載を考慮しても、甲１発明１において、（Ｂ１）リン酸エステル、（Ｂ２）窒素原子を有する分散剤を含むものとすることが当業者が容易になし得る事項であるとはいえない。
　そして、本件特許明細書からみて、本件発明１の着色組成物は、低露光量でも色度特性に優れ、かつ欠けを生じ難い着色硬化膜を形成することができ、現像速度にも優れ、タクトタイムを短縮することができる、という効果を奏するものである。
　したがって、本件発明１は甲第１〜４号証に記載された発明に基いて当業者が容易に発明をすることができたものということはできない。
　
イ　甲第２号証を主引用例とする場合
　本件発明１と甲２発明１とを対比する。
　甲２発明１のカラーフィルター用感光性着色樹脂組成物は、顔料分散液と、バインダー樹脂、多官能性モノマー（Ｅ）、及び光重合開始剤（Ｆ）を含有するものであるところ、該顔料分散液は、顔料（Ａ）と、３級以下のアミンを有する重合体（Ｂ）とアミンと反応可能な低分子化合物（Ｃ）とを反応させたものとを含有するものであるといえるから、結局、上記組成物は、顔料（Ａ）、３級以下のアミンを有する重合体（Ｂ）とアミンと反応可能な低分子化合物（Ｃ）とを反応させたもの、バインダー樹脂、多官能性モノマー（Ｅ）、及び光重合開始剤（Ｆ）を含有するものであるといえる。
　そして、甲２発明１は、カラーフィルター用感光性着色樹脂組成物であることから、甲２発明１の顔料（Ａ）は、着色剤である限りにおいて本件発明１の（Ａ）着色剤と共通することは明らかである。また、甲２発明１の多官能性モノマー（Ｅ）は、重合性の化合物であることは明らかであるから、本件発明１の（Ｄ）重合性化合物に相当する。さらに、甲２発明１における、３級以下のアミンを有する重合体（Ｂ）は、市販の顔料分散剤から適宜選択して用いてもよいものであり（摘示２ｄ）、アミンと反応可能な低分子化合物（Ｃ）について、重合体のアミンと反応可能な低分子化合物（Ｃ）の配合量は、顔料を均一に分散することができるものであれば特に限定されるものではなく（摘示２ｆ）、顔料（Ａ）、３級以下のアミンを有する重合体（Ｂ）、アミンと反応可能な低分子化合物（Ｃ）を混合し、前記重合体（Ｂ）と前記低分子化合物（Ｃ）とを反応させながら、前記顔料（Ａ）を分散することにより、微細な顔料や顔料濃度が高い場合においても顔料分散安定性に優れた顔料分散液を提供することができるものであるから（摘示２ｄ）、甲２発明１の３級以下のアミンを有する重合体（Ｂ）とアミンと反応可能な低分子化合物（Ｃ）とを反応させたものは、顔料分散剤であるといえ、これは分散剤である限りにおいて、本件発明１の分散剤と共通する。
　したがって、本件発明１と甲２発明１とは、
「（Ａ）着色剤、（Ｃ）バインダー樹脂及び（Ｄ）重合性化合物を含む着色組成物であって、
　更に、分散剤を含む、着色組成物。」である点で一致し、
　以下の点で相違する。
＜相違点１＞
　本件発明１が、「（Ａ）着色剤が、下記式（１）で表される顔料を含み、
　　【化１】
〔式（１）において、Ｒ1及びＲ2は、臭素原子を表す。〕」としているのに対し、甲２発明１では、顔料が特定されていない点
　
＜相違点２＞
　本件発明１が、「（Ｂ１）リン酸エステル、及び（Ｂ２）窒素原子を有する分散剤を含む」としているのに対し、甲２発明１は、分散剤に相当するものが、「３級以下のアミンを有する重合体（Ｂ）とアミンと反応可能な低分子化合物（Ｃ）とを反応させ」たものである点
　
　上記相違点について検討する。
＜相違点１＞について
　甲第２号証には、「近年、カラーフィルターの色再現性向上のため、着色層に対しては、より高透過、且つ高濃度であることが要求されている」こと、「また近年、より高精細、高輝度、高コントラストの画面が求められており、これに対してより微細な顔料の使用が検討されている」ことが記載されており（摘示２ｂ）、また、実施例として、顔料としてＣ．Ｉ．ピグメントレッド２５４を用いた実施例が記載されているところ（摘示２ｋ）、甲第１号証には、「従来使用されていたＣ．Ｉ．ピグメントレッド２５４（塩素化ジケトピロロピロール顔料）と比較して、臭素化ジケトピロロピロール顔料（式（１））をカラーフィルタに適用することにより、明度が向上することを見出した」ことが記載されている（摘示１ａ）。
　しみてると、甲２発明１において、カラーフィルターにおける色再現性向上、高輝度等を目的として、顔料（Ａ）として、臭素化ジケトピロロピロール顔料（式（１））（当審注：摘示１ｂの式（１）であり、本件発明１の式（１）と実質的に同一である。）を用いることは当業者が容易になし得る事項である。
　
＜相違点２＞について
　甲第２号証には、３級以下のアミンを有する重合体（Ｂ）とアミンと反応可能な低分子化合物（Ｃ）を用いること、低分子化合物（Ｃ）としてリン酸エステルに相当するリン酸ジブチル等を用いることが記載されているが（摘示２ａ、２ｅ、２ｋ）、重合体（Ｂ）と低分子化合物（Ｃ）とは顔料分散液の製造時に反応させるものであり、顔料分散液中には反応させたものとして存在するといえるから、甲２発明１において、（Ｂ１）リン酸エステル、（Ｂ２）窒素原子を有する分散剤を含むものとすることが当業者が容易になし得る事項であるとはいえない。
（なお、甲第２号証には、「本発明の顔料分散液は、顔料（Ａ）、３級以下のアミンを有する重合体（Ｂ）及び／又はその反応物、前記重合体のアミンと反応可能な低分子化合物（Ｃ）及び／又はその反応物、及び溶剤（Ｄ）を少なくとも含有する」との記載があり（摘示２ｃ）、形式的には、３級以下のアミンを有する重合体（Ｂ）とアミンと反応可能な低分子化合物（Ｃ）について、反応させていないものを含有する顔料分散液を包含するとも解される記載も存在するが、特許請求の範囲を含めた甲第２号証の全体の記載からみて、実質的に、顔料分散液には、３級以下のアミンを有する重合体（Ｂ）とアミンと反応可能な低分子化合物（Ｃ）とを反応させた顔料分散液が記載されているに過ぎず、反応させていない、３級以下のアミンを有する重合体（Ｂ）とアミンと反応可能な低分子化合物（Ｃ）の両者を含有する顔料分散液が記載ないし示唆されているとはいえない。）
　また、甲第１号証には、樹脂型分散剤としてポリカルボン酸（部分）アミン塩のような窒素原子を有するもの、Ｄｉｓｐｅｒｂｙｋ−１１１、ＳＯＬＳＰＥＲＳＥ−４１０００（それぞれ、本件特許明細書において、リン酸エステルとして例示された、Ｄｉｓｐｅｒｂｙｋ−１１１、ソルスパース４１０００に該当するとも解される）が記載され、任意成分の界面活性剤としてポリオキシエチレンアルキルエーテルリン酸エステルが記載されており（摘示１ｅ）、これらの物質は本件発明１の（Ｂ１）リン酸エステル、（Ｂ２）窒素原子を有する分散剤に相当するとはいえるものの、これらは、樹脂型分散剤及び任意成分として例示された物質の一つに過ぎず、甲第１号証にはその他にも多数の物質が樹脂型分散剤及び任意成分として例示されており、（Ｂ１）リン酸エステル、（Ｂ２）窒素原子を有する分散剤に相当する物質を組み合わせて特定して配合した着色組成物の具体的な記載もない（なお、[0596]に記載の顔料分散体Ｐ−１に配合された「ビックケミー・ジャパン社製ＢＹＫ−１１１」はＤｉｓｐｅｒｂｙｋ−１１１と表記が一致せず、仮にこれがＤｉｓｐｅｒｂｙｋ−１１１と同じものであったとしても、Ｐ−１には（Ｂ２）窒素原子を有する分散剤は配合されていない。）。
　そして、甲第１号証には、上述のとおり、樹脂型分散剤及び任意成分が多数例示されているから、樹脂型分散剤及び任意成分の組合せの数は膨大なものとなり、そのような組合せの中から、本件発明１に係る（Ｂ１）リン酸エステル、及び（Ｂ２）窒素原子を有する分散剤を組み合わせて、甲２発明１の組成物に配合することが当業者が容易になし得る事項であるとはいえない。
　さらに、甲第３号証は、固体撮像素子用の微細化したカラーフィルタの製造方法について、甲第４号証は、加法混色タイプのカラー固体撮像素子に適した、色再現性に優れた、カラーフィルタの形成について記載するに過ぎないから、甲第３及び甲第４号証の記載を考慮しても、甲２発明１において、（Ｂ１）リン酸エステル、（Ｂ２）窒素原子を有する分散剤を含むものとすることが当業者が容易になし得る事項であるとはいえない。
　そして、本件特許明細書からみて、本件発明１の着色組成物は、低露光量でも色度特性に優れ、かつ欠けを生じ難い着色硬化膜を形成することができ、現像速度にも優れ、タクトタイムを短縮することができる、という効果を奏するものである。
　したがって、本件発明１は甲第１〜４号証に記載された発明に基いて当業者が容易に発明をすることができたものということはできない。
　
ウ　小括
　以上のとおりであるから、本件発明１は、甲第１〜４号証に記載された発明に基いて、当業者が容易に発明をすることができたものであるとはいえない。
　
（２）本件発明２〜９について
　本件発明２は、本件発明１について、（Ｂ２）窒素原子を有する分散剤が、（メタ）アクリル系分散剤及びポリエステル系分散剤であって、アミノ基、四級アンモニウム、アミド基及びイミノ基から選ばれる１以上の特性基を有する分散剤、並びにウレタン系分散剤のうちの少なくとも１種であることを、
　本件発明３は、本件発明１、２について、（Ｂ１）リン酸エステルの含有量ｗ1と、（Ｂ２）窒素原子を有する分散剤の含有量ｗ2との比（ｗ1／ｗ2）が質量比で１０／９０〜９０／１０であることを、
　本件発明４は、本件発明１〜３について、（Ｂ１）リン酸エステルの酸価が１〜１５０ｍｇＫＯＨ／ｇであることを、
　本件発明５は、本件発明１〜４について、（Ｂ１）リン酸エステルが、ポリエーテルリン酸エステル系重合体であることを
　本件発明６は、本件発明１〜５について、（Ａ）着色剤が、前記式（１）で表される顔料以外の着色剤を含むことを、
　それぞれ特定するものであり、
　本件発明７は、本件発明１〜６の着色組成物を用いて形成された着色硬化膜であり、
　本件発明８は、本件発明７の着色硬化膜を具備する表示素子であり、
　本件発明９は、本件発明７の着色硬化膜を具備する固体撮像素子であるところ、
　本件発明２〜９は、いずれも本件発明１の発明特定事項を有する発明であるといえるから、本件発明１が甲第１〜４号証に記載された発明に基いて当業者が容易に発明をすることができたものであるといえない以上、本件発明２〜９も甲第１〜４号証に記載された発明に基いて当業者が容易に発明をすることができたものであるといえない。
　
（３）本件発明１０について　
ア　甲第１号証を主引用例とする場合
　本件発明１０と甲１発明２との一致点、相違点は、上記１（３）で示したとおりであるところ、上記（１）アで述べたのと同様の理由により、甲１発明２において、（Ｂ１）リン酸エステル、（Ｂ２）窒素原子を有する分散剤を含むものとすることが当業者が容易になし得る事項であるとはいえない。
　そして、本件特許明細書の記載からみて、本件発明１０の着色剤分散液は、ジケトピロロピロール系顔料の分散性が良好で粘度を低く抑えられる等の効果を奏するものである。
　
イ　甲第２号証を主引用例とする場合
　本件発明１０と甲２発明２とを対比する。
　甲２発明２の顔料分散液は、少なくとも顔料（Ａ）、３級以下のアミンを有する重合体（Ｂ）、アミンと反応可能な低分子化合物（Ｃ）、及び溶剤（Ｄ）を混合し、前記重合体（Ｂ）と前記低分子化合物（Ｃ）とを反応させながら、前記顔料（Ａ）を分散させる顔料分散工程を有する顔料分散液の製造方法により製造されたものであるから、結局、該分散液は、顔料（Ａ）と、３級以下のアミンを有する重合体（Ｂ）とアミンと反応可能な低分子化合物（Ｃ）とを反応させたものと、溶剤（Ｄ）を含有するものであるといえ、このうち、溶剤（Ｄ）は本件発明１０の（Ｆ）溶媒に該当する。
　そして、甲２発明２の顔料（Ａ）は、着色剤である限りにおいて本件発明１０の（Ａ）着色剤と共通することは明らかである。また、甲２発明２における、３級以下のアミンを有する重合体（Ｂ）は、市販の顔料分散剤から適宜選択して用いてもよいものであり（摘示２ｄ）、アミンと反応可能な低分子化合物（Ｃ）について、重合体のアミンと反応可能な低分子化合物（Ｃ）の配合量は、顔料を均一に分散することができるものであれば特に限定されるものではなく（摘示２ｆ）、顔料（Ａ）、３級以下のアミンを有する重合体（Ｂ）、アミンと反応可能な低分子化合物（Ｃ）を混合し、前記重合体（Ｂ）と前記低分子化合物（Ｃ）とを反応させながら、前記顔料（Ａ）を分散することにより、微細な顔料や顔料濃度が高い場合においても顔料分散安定性に優れた顔料分散液を提供することができるものであるから（摘示２ｄ）、甲２発明２の３級以下のアミンを有する重合体（Ｂ）とアミンと反応可能な低分子化合物（Ｃ）とを反応させたものは、顔料分散剤であるといえ、これは分散剤である限りにおいて、本件発明１０の分散剤と共通する。さらに、これらのことから、甲２発明２の組成物は、着色剤分散液であるといえる。
　したがって、本件発明１０と甲２発明２とは、
「（Ａ）着色剤及び（Ｆ）溶媒を含む着色剤分散液であって、
　（Ａ）着色剤が、顔料を含み、
　更に、分散剤を含む、着色剤分散液。」である点で一致し、
以下の点で相違する。
＜相違点３＞
　本件発明１０が、「（Ａ）着色剤が、下記式（１）で表される顔料を含み、
　　【化２】
〔式（１）において、Ｒ1及びＲ2は、臭素原子を表す。〕」としているのに対し、甲２発明２では顔料が特定されていない点
　
＜相違点４＞
　本件発明１０が、「（Ｂ１）リン酸エステル、及び（Ｂ２）窒素原子を有する分散剤を含む」としているのに対し、甲２発明２は、分散剤に相当するものが、「３級以下のアミンを有する重合体（Ｂ）とアミンと反応可能な低分子化合物（Ｃ）とを反応させ」たものである点
　
　上記相違点３及び４について検討するに、相違点３及び４は相違点１及び２と同様の相違点であるところ、上記（１）イで述べたのと同様の理由により、相違点３に係る技術的事項については、当業者が容易になし得る事項であるといえるものの、相違点４に係る技術的事項については、当業者が容易になし得る事項であるとはいえない。
　そして、本件特許明細書の記載からみて、本件発明１０の着色剤分散液は、ジケトピロロピロール系顔料の分散性が良好で粘度を低く抑えられる等の効果を奏するものである。
　
ウ　小括
　以上のとおりであるから、本件発明１０は、甲第１〜４号証に記載された発明に基いて当業者が容易に発明をすることができたものとはいえない。
　
（４）特許異議申立人の主張について
　特許異議申立人は、特許異議申立書において、甲第１号証の種々の記載を組み合わせて、甲第１号証には、「下記式（１）（当審注：式略）に示される臭素化ジケトピロロピロール顔料を含む顔料、バインダー樹脂、光重合性化合物を含む顔料組成物であって、リン酸エステル及び窒素原子を有する分散剤を含む、顔料組成物」の発明が記載されている旨主張し、甲第２号証には、「顔料、バインダー樹脂、多官能性モノマーを含み、リン酸ジブチル及び３級以下のアミンを含有する重合体を含む顔料分散液」の発明が記載されている旨を主張し、これらを前提として、本件発明１〜１０は甲第１〜４号証に記載された発明に基いて当業者が容易に発明をすることができたものである旨主張する。
　そこで、検討する。
　甲第１号証に特許異議申立人が主張する発明が記載されているとはいえないことは上記１（４）で述べたとおりである。
　また、甲第２号証には、顔料（Ａ）と、３級以下のアミンを有する重合体（Ｂ）とアミンと反応可能な低分子化合物（Ｃ）、及び溶剤（Ｄ）を混合し、前記重合体（Ｂ）と前記低分子化合物（Ｃ）とを反応させながら、前記顔料（Ａ）を分散させる顔料分散工程を有する顔料分散液の製造方法により製造された顔料分散液が記載されているのであり（摘示２ａ）、リン酸ジブチル（アミンと反応可能な低分子化合物（Ｃ）に相当する）と３級以下のアミンを含有する重合体とを別個に含む顔料分散液が実質的に記載されているとはいえないから、この点で、特許異議申立人が主張する発明が甲第２号証に記載されているとはいえない。
　してみると、特許異議申立人の主張はその前提において誤っており、甲第３〜４号証に記載された技術的事項を考慮しても、本件発明１〜１０を当業者が容易に想到し得たといえないことは、上述のとおりであるので、その主張を採用することはできない。
　
第６　むすび
　したがって、本件発明１〜１０に係る特許は、特許異議申立人が申し立てた取消理由によっては取り消すことができない。
　また、他に本件発明１〜１０に係る特許を取り消すべき理由を発見しない。
　よって、結論のとおり決定する。
【異議決定日】
平成３０年８月３０日（２０１８．８．３０）